(57)【要約】  隣接セル情報に必ずしも全ての隣接しているセルの情報を含めるのではなく、各移動局の移動履歴を考慮してセルの情報を含める。  移動局と無線通信を行う基地局であって、前記移動局が当該基地局の管理下のセルまで移動してきた移動履歴の内容に応じて、前記移動局が用いる隣接セルリストの内容を異ならせる。
2014115418.tif 000002
【特許請求の範囲】
【請求項１】
移動局と無線通信を行う基地局であって、
前記移動局が当該基地局の管理下のセルまで移動してきた移動履歴の内容に応じて、前記移動局が用いる隣接セルリストの内容を異ならせることを特徴とする基地局。
【請求項２】
請求項１に記載の基地局であって、
複数の組であって、そのそれぞれの組が、前記移動局が当該基地局の管理下のセルまで移動する際に経由してくると想定されるセルの組み合わせと、その組合せに対応した隣接セルリストとを含む、複数の組を格納しておく隣接セル情報格納部と、
前記移動局から、該移動局が実際に当該基地局の管理下のセルまで移動してきた際に経由してきたセルの組み合わせを受信し、受信した内容に対応した隣接セルリストを前記隣接セル情報格納部から検索して、前記移動局に返信する返信部と、
を備えることを特徴とする基地局。
【請求項３】
請求項１に記載の基地局であって、
複数の組であって、そのそれぞれの組が、前記移動局が当該基地局の管理下のセルまで移動する際に経由してくると想定されるセルの組み合わせと、その組合せに対応した隣接セルリストとを含む、複数の組を格納しておく隣接セル情報格納部と、
前記複数の組を前記移動局に送信する送信部を備え、
前記移動局が、該移動局の実際の移動履歴に対応した隣接セルリストを、前記基地局の前記送信部から送信されてきた前記複数の組から検索して用いることを特徴とする基地局。
【請求項４】
請求項２又は３に記載の基地局であって、
前記移動局が実際に当該基地局の管理下のセルまで移動してきた際に経由してきたセルの組み合わせと、前記移動局が当該基地局の管理下のセルからハンドオーバした先のセルとを紐付けて蓄積していき、蓄積した情報に基づいて、前記隣接セル情報格納部に格納されている複数の組の一部又は全部を修正し、又は、前記隣接セル情報格納部に新たな組を追加することを特徴とする基地局。
【請求項５】
請求項１乃至４の何れか１項に記載の基地局であって、
前記移動局が当該基地局の管理下のセルに移動してくる直前に在圏していたセルは前記隣接セルリストから除外することを特徴とする基地局。
【請求項６】
請求項１乃至５の何れか１項に記載の基地局であって、
前記移動局を利用するユーザが或る移動路を利用して当該基地局の管理下のセルまで移動してきたと判断できる場合には、当該基地局の管理下のセルから前記或る移動路を利用して移動できないセルについては前記隣接セルリストから除外することを特徴とする基地局。
【請求項７】
請求項２に記載の基地局から前記組を受信し、自移動局の実際の移動履歴に対応した隣接セルリストを、受信した前記複数の組から検索して用いる、ことを特徴とする移動局。
【請求項８】
基地局と移動局とを含んだセル情報伝達システムであって、
複数の組であって、そのそれぞれの組が、前記移動局が当該基地局の管理下のセルまで移動する際に経由してくると想定されるセルの組み合わせと、その組合せに対応した隣接セルリストとを含む、複数の組を格納しておく隣接セル情報格納部と、
移動局の実際の移動履歴に対応した隣接セルリストを、隣接セル情報格納部に格納されている前記複数の組から検索する検索部と、
を備え、前記移動局は、検索された隣接セルリストを用いることを特徴とするセル情報伝達システム。
【請求項９】
移動局と無線通信を行う基地局としてコンピュータを機能させる為のセル情報伝達プログラムであって、
前記移動局が当該基地局の管理下のセルまで移動してきた移動履歴の内容に応じて、前記移動局に送信する隣接セルリストの内容を異ならせる基地局として前記コンピュータを機能させることを特徴とするセル情報伝達プログラム。
【請求項１０】
基地局と移動局とを含んだシステムが行うセル情報伝達方法であって、
前記基地局が、複数の組であって、そのそれぞれの組が、前記移動局が当該基地局の管理下のセルまで移動する際に経由してくると想定されるセルの組み合わせと、その組合せに対応した隣接セルリストとを含む、複数の組を隣接セル情報格納部に格納し、
前記基地局又は前記移動局が、移動局の実際の移動履歴に対応した隣接セルリストを、隣接セル情報格納部に格納されている前記複数の組から検索する検索し、
前記移動局が、検索された隣接セルリストを用いることを特徴とするセル情報伝達方法。
【発明の詳細な説明】
【技術分野】
【０００１】
本発明は、セル情報を伝達する為の、セル情報伝達システム、基地局、セル情報伝達方法及びセル情報伝達プログラムに関する。
【背景技術】
【０００２】
携帯電話網に代表されるようなセルラ方式(cellular communication system)に準拠した無線通信網は、複数の基地局（ｅＮＢ：evolutional Node B）を分散して配設することによって、広域なサービスエリアを構成する。そして、これら複数の基地局のそれぞれは、基地局自身と携帯電話機等の移動局（ＵＥ：User Equipment）とが通信可能な範囲である「セル」を形成及び管理する。【０００３】
また、或るセルを管理する基地局と通信を行っていた移動局は、移動局自身の移動に伴い、この或るセル近傍の他のセルを管理する基地局に通信相手を変更するという処理であるハンドオーバを行う。【０００４】
ここで、一般的な移動通信システムでは、ハンドオーバの必要が生じた移動局は、周辺基地局リストである隣接セル情報(ＮＣＬ:Neighbor Cell List)に基づいて周辺の基地局からそれぞれ送信される電波を受信する。そして、最も良好な受信品質が得られる基地局を検出し、その基地局にハンドオーバを行う。このように、移動局は隣接セル情報に含まれるセルに対してのみ受信品質測定を行えばよく、効率的にセル選択を行うことができる。【０００５】
一般的な技術における、隣接セル情報の利用について具体例を用いて説明する。【０００６】
図１を参照すると本例では、移動局（図中では「ＵＥ」と表記する。）７００とセル群８００を含む。また、セル群８００は「Ｃｅｌｌ＃１，Ｃｅｌｌ＃２，Ｃｅｌｌ＃３，Ｃｅｌｌ＃４，Ｃｅｌｌ＃５，Ｃｅｌｌ＃６及びＣｅｌｌ＃７」を含む。なお、図中の各セルは各々が基地局９００により生成及び管理されるが図１では基地局９００の図示を省略する。【０００７】
本例では移動局７００が現在在圏しているセルであるＣｅｌｌ＃１に着目して説明を行う。ここで、Ｃｅｌｌ＃１に隣接しているセルを表す情報である隣接セル情報には、「Ｃｅｌｌ＃２，Ｃｅｌｌ＃３，Ｃｅｌｌ＃４，Ｃｅｌｌ＃５，Ｃｅｌｌ＃６及びＣｅｌｌ＃７」が含まれる。【０００８】
次に、図２を参照して基地局９００から移動局７００への隣接セル情報の通知を行う際のシーケンスについて説明する。【０００９】
まず、Ｃｅｌｌ＃１を形成及び管理する基地局９００から移動局７００に対して報知情報が送信される（ステップＳ９１）。報知情報は、移動局７００が何れかのセルへの接続や再接続又は他のセルへのハンドオーバ（ＨＯ：Handover）等を行う際に、移動局７００自身が現在位置しているセルの近傍のセルの無線通信に関する状況を測定するために用いられる。【００１０】
まず、ステップＳ９１ではＣｅｌｌ＃１に隣接しているセルを表す情報である隣接セル情報「Ｃｅｌｌ＃２，Ｃｅｌｌ＃３，Ｃｅｌｌ＃４，Ｃｅｌｌ＃５，Ｃｅｌｌ＃６及びＣｅｌｌ＃７」が報知情報として送信される。【００１１】
次に、隣接セル情報を受信した移動局７００は隣接セル情報にあるＣｅｌｌに対して隣接セルサーチを実施する（ステップＳ９２）。つまり、移動局７００は隣接セルであるＣｅｌｌ＃２，Ｃｅｌｌ＃３，Ｃｅｌｌ＃４，Ｃｅｌｌ＃５，Ｃｅｌｌ＃６及びＣｅｌｌ＃７を対象として無線通信に関する状況を測定する。そして移動局７００は、その測定結果を踏まえた上で、Ｃｅｌｌ＃１への接続の継続や、他のセルへのハンドオーバ等を行う。【００１２】
次に、隣接セル情報の他の利用例として、図３を参照して基地局９００からハンドオーバパラメータを設定して行われるハンドオーバ実行時のシーケンスについて説明する。図３のシーケンスはシステム側からのハンドオーバ制御である。【００１３】
基地局９００は、移動局７００に対して、Ｃｅｌｌ＃１の隣接セルの測定設定（Measurement
Configuration）を行わせる。これは、例えばハンドオーバのためである。【００１４】
まず、Ｃｅｌｌ＃１の隣接セルのMeasurement Configurationを行うために、ＲＲＣ接続再設定（RRCConnectionReconfiguration）メッセージを使って、Measurement Configurationメッセージを基地局９００から移動局７００に送信する（ステップＳ９３）。【００１５】
移動局７００はRRCConnectionReconfigurationメッセージを正常に受付けた場合は、基地局に対して、RRCConnectionReconfigurationCompleteを送信する（ステップＳ９４）。また、併せて移動局７００の周辺セルの測定を開始する。この測定はMeasurement Configurationメッセージに含まれるＣｅｌｌ＃１の隣接セル情報に基づいて行われる。すなわち、隣接セルであるＣｅｌｌ＃２，Ｃｅｌｌ＃３，Ｃｅｌｌ＃４，Ｃｅｌｌ＃５，Ｃｅｌｌ＃６及びＣｅｌｌ＃７を対象として測定が行われる。【００１６】
移動局７００は、RRCConnectionReconfigurationの条件にある隣接セルを検出し、測定を行うと基地局９００に対してMeasurement ReportをＰＣＩ(Physical Cell
Identity)を指定して送信する（ステップＳ９５）。基地局９００は、ＭＲ(Measurement
Report)に基づいて、例えば受信レベルの大きいセルにハンドオーバを実行する（ステップＳ９６）。【００１７】
また、このような隣接セル情報を用いた通信システムの具体例が特許文献１及び特許文献２に記載されている。【００１８】
特許文献１では、端末が準拠している通信方式に応じて隣接セル情報の内容を異なるものとすることが記載されている。このようにすることにより、各端末が準拠していない通信方式のセルをサーチしてしまうことを防止できる。【００１９】
また、特許文献２では、隣接セル情報に基づいてハンドオーバを行うこと及びハンドオーバの失敗を防止するためにハンドオーバパラメータを調整することが記載されている。
【先行技術文献】
【特許文献】
【００２０】
【特許文献１】特開２０１２−１６５４７６号公報
【特許文献２】特開２０１２−１４７２５８号公報
【非特許文献】
【００２１】
【非特許文献１】3GPP TS  36.331 ： Evolved Universal Terrestrial Radio Access (E-UTRA); Radio ResourceControl (RRC) ; Protocol specification、[online]、[平成２５年１月１２日検索]、インターネット&lt;http://www.3gpp.org/ftp/Specs/archive/36_series/36.331/&gt;
【発明の概要】
【発明が解決しようとする課題】
【００２２】
上述したように、隣接セル情報を利用することにより移動局は隣接セル情報に含まれるセルに対してのみ受信品質測定を行えばよく、効率的にセル選択を行うことができる。【００２３】
しかしながら、これら図１、図２及び図３を参照して説明した技術や各引用文献に記載の技術では、隣接セル情報は、在圏しているセル単位で定められていた。例えば在圏しているセルが「Ｃｅｌｌ＃１」である場合には隣接セル情報は、「Ｃｅｌｌ＃２，Ｃｅｌｌ＃３，Ｃｅｌｌ＃４，Ｃｅｌｌ＃５，Ｃｅｌｌ＃６及びＣｅｌｌ＃７」が含まれるものと定められており、在圏している移動局がどの移動局であっても同じ隣接セル情報が通知されていた。すなわち、各移動局の直近の移動履歴に応じた隣接セルを通知するものではなかった。【００２４】
そこで本発明は、隣接セル情報に必ずしも全ての隣接しているセルの情報を含めるのではなく、各移動局の移動履歴を考慮してセルの情報を含めることが可能な、セル情報伝達システム、基地局、セル情報伝達方法及びセル情報伝達プログラムを提供することを目的とする。
【課題を解決するための手段】
【００２５】
本発明の第１の観点によれば、移動局と無線通信を行う基地局であって、前記移動局が当該基地局の管理下のセルまで移動してきた移動履歴の内容に応じて、前記移動局が用いる隣接セルリストの内容を異ならせることを特徴とする基地局が提供される。【００２６】
本発明の第２の観点によれば、上記本発明の第１の観点により提供される基地局から前記組を受信し、自移動局の実際の移動履歴に対応した隣接セルリストを、受信した前記複数の組から検索して用いる、ことを特徴とする移動局が提供される。【００２７】
本発明の第３の観点によれば、基地局と移動局とを含んだセル情報伝達システムであって、複数の組であって、そのそれぞれの組が、前記移動局が当該基地局の管理下のセルまで移動する際に経由してくると想定されるセルの組み合わせと、その組合せに対応した隣接セルリストとを含む、複数の組を格納しておく隣接セル情報格納部と、移動局の実際の移動履歴に対応した隣接セルリストを、隣接セル情報格納部に格納されている前記複数の組から検索する検索部と、を備え、前記移動局は、検索された隣接セルリストを用いることを特徴とするセル情報伝達システムが提供される。【００２８】
本発明の第４の観点によれば、移動局と無線通信を行う基地局としてコンピュータを機能させる為のセル情報伝達プログラムであって、前記移動局が当該基地局の管理下のセルまで移動してきた移動履歴の内容に応じて、前記移動局に送信する隣接セルリストの内容を異ならせる基地局として前記コンピュータを機能させることを特徴とするセル情報伝達プログラムが提供される。【００２９】
本発明の第５の観点によれば、基地局と移動局とを含んだシステムが行うセル情報伝達方法であって、前記基地局が、複数の組であって、そのそれぞれの組が、前記移動局が当該基地局の管理下のセルまで移動する際に経由してくると想定されるセルの組み合わせと、その組合せに対応した隣接セルリストとを含む、複数の組を隣接セル情報格納部に格納し、前記基地局又は前記移動局が、移動局の実際の移動履歴に対応した隣接セルリストを、隣接セル情報格納部に格納されている前記複数の組から検索する検索し、前記移動局が、検索された隣接セルリストを用いることを特徴とするセル情報伝達方法が提供される。
【発明の効果】
【００３０】
本発明によれば、隣接セル情報に必ずしも全ての隣接しているセルの情報を含めるのではなく、各移動局の移動履歴を考慮してセルの情報を含めることが可能となる。
【図面の簡単な説明】
【００３１】
【図１】本発明の背景技術を説明する為の、セルの配置を表す概念図である。
【図２】本発明の背景技術における報知情報の通知について表すシーケンス図である。
【図３】本発明の背景技術におけるハンドオーバパラメータの通知について表すシーケンス図である。
【図４】本発明の実施形態全体を表すブロック図である。
【図５】本発明の実施形態における基地局及び移動局を表すブロック図である。
【図６】本発明の実施形態における移動局の移動経路の具体例を表す概念図である。
【図７】本発明の実施形態における移動局の移動経路の具体例を表す概念図である。
【図８】本発明の実施形態における第１のシーケンスを表すシーケンス図である。
【図９】本発明の実施形態における第２のシーケンスを表すシーケンス図である。
【図１０】本発明の実施形態における第３のシーケンスを表すシーケンス図である。
【図１１】本発明の実施形態における第４のシーケンスを表すシーケンス図である。
【図１２】本発明の実施形態におけるSystemInformationBlockType3.1を表す図である。
【図１３】本発明の実施形態におけるSystemInformationBlockType3.2を表す図である。
【図１４】本発明の実施形態におけるSystemInformationBlockType4.1を表す図である。
【図１５】本発明の実施形態におけるSystemInformationBlockType4.2を表す図である。
【符号の説明】
【００３２】
１０、７００  移動局
１１  移動局通信部
１２  移動局制御部
１３  移動履歴取得部
１４  移動履歴格納部
２０、９００  基地局
２１  基地局通信部
２２  基地局制御部
２３  隣接セル情報格納部
３０  セル
３１、８００  セル群
４１、４２  移動路
【発明を実施するための形態】
【００３３】
次に、本発明の実施形態について図面を参照して詳細に説明する。ここで、本実施形態は概略、移動通信システムにおける隣接セル情報伝達方法であって、直近の移動局位置の移動履歴に基づき隣接セル情報(ＮＣＬ: Neighbor Cell List)を移動局に伝達するようにしたものである。
【００３４】
図４を参照すると、本実施形態である隣接セル情報伝達システム１００が記載されている。ここで隣接セル情報伝達システム１００は、少なくとも一つ以上の移動局１０と、複数の基地局２０とを含む。また、各基地局２０はそれぞれがセル３０を形成する。
【００３５】
そして、各基地局２０の各々は自身が形成するセル３０の範囲内に位置する移動局１０と無線通信を行う。ここで、本実施形態では標準規格団体である３ＧＰＰ（3rd Generation Partnership Project）が規定する規格であるＬＴＥ(Long Term Evolution)に準拠した無線通信を行うことを想定する。しかしながら、この本実施形態が準拠すべき無線通信方式に特に限定は無く、本発明の趣旨を逸脱することがない範囲であれば任意の無線通信方式に準拠することが可能である。
【００３６】
また、各基地局２０間はそれぞれが上位装置（図示を省略する）に接続される。また、各基地局２０間が直接接続されていても良い。
【００３７】
なお、図示の都合上図４ではＮ個の移動局１０とＭ個の基地局２０が表されているが、本実施形態において移動局１０と基地局２０の数は特に限定されない。
【００３８】
また、準拠する無線通式方式によっては、各基地局２０それぞれの一部又は全部が２つ以上のセル３０を管理することもあり得る。もっとも、本実施形態の説明においては、説明を簡略化するために各基地局２０がそれぞれ管理下にセル３０を１つのみ有しているものとする。
【００３９】
加えて、セル３０の大きさは均一であるとは限らず、設置環境等に応じて異なることもある。また、意図的に異なる大きさのセル３０を設けて、マクロセルやピコセルといった名称で明確に区別するような場合もあり得る。しかし、本実施形態では説明を簡略化するために各セル３０が略均等な大きさであるものとする。なお、これらは説明を簡略化するためのものに過ぎず本実施形態における基地局２０の管理下のセル３０の数を１つに限定したり、異なる大きさのセル３０が混在することを認めない、といった趣旨ではない。
【００４０】
続いて、図５を参照して移動局１０及び基地局２０に含まれる機能ブロックについて説明する。なお、図５では移動局１０及び基地局２０に含まれる機能ブロックの内、特に本実施形態に関連する構成要素のみを示している。すなわち、移動局１０は、図示していないが、移動局１０を移動局として機能させるための機能ブロックを含んでいる。同様に、基地局２０は、図示していないが、基地局２０を基地局として機能させるための機能ブロックを含んでいる。
【００４１】
ここで、移動局１０は移動局通信部１１、移動局制御部１２、移動履歴取得部１３及び移動履歴格納部１４を含む。また、基地局２０は、基地局通信部２１、基地局制御部２２及び隣接セル情報格納部２３を含む。
【００４２】
移動局１０は、ＵＥ（User Equipment）であり、基地局２０を介して上位ネットワークと無線通信を行う端末である。具体的には移動局１０は、例えば携帯電話機や、携帯電話機網を利用してデータ通信を実行する携帯型のパーソナルコンピュータやタブレット型のパーソナルコンピュータにより実現される。
【００４３】
移動局通信部１１は、基地局２０と無線通信を行うための機能を含む。更に、移動局通信部１１は、ハンドオーバ実行の契機とするために各基地局２０との間の無線品質情報を測定する機能を含む。測定対象の一般的な例としては、セル３０毎の無線品質、例えば、下りパイロット信号（pilot signal）及び／又はリファレンス信号（reference signal）の受信電力、ＳＩＮＲ(Signal to Interference plus Noise Ratio)などの信号対雑音干渉比が挙げられる。また、ＬＴＥに準拠した無線通信を行う場合には、ＲＳＲＰ(Reference Signal Received Power)やＲＳＲＱ(Reference
Signal Received Quality)などが無線品質情報の例として挙げられる。なお、これら無線品質情報の具体例はあくまで例示に過ぎず、これら例示したもの以外のものを無線品質情報として代替して用いても良い。また、他の基準に基づいてハンドオーバの実行の有無を判断するようにしても良い。
【００４４】
移動局制御部１２は、移動局通信部１１及び移動履歴格納部１４を用いて、後述する本実施形態特有のシーケンスを実行する部分である。また、移動局制御部１２は本実施形態を実現する機能のみを含んでいても良いが、加えて移動局１０全体を制御するような機能を更に含んでいても良い。
【００４５】
移動履歴取得部１３は、この移動履歴取得部１３を含む移動局１０自身が過去に移動してきたセル３０の履歴（以下、適宜「セル移動パターン」と呼ぶ）を取得する部分である。そして、移動履歴取得部１３は取得したセル移動パターンを移動履歴格納部１４に格納する。セル移動パターンをどの程度まで遡って格納しておくかについて特に制限はないが、本実施形態では直近（例えば３〜５セル分）の移動局移動履歴を少なくともセル移動パターンとして格納しているものとする。また、セル移動パターンの取得方法であるが、各セルを管理する基地局との間で過去に実際に行われた通信履歴に基づいてセル移動パターンを取得することが考えられる。また、特に高速移動している場合や、電波状況が良好でないこと及び基地局の接続台数制限、等が原因となり或るセルを移動したにも関わらずこの或るセルと通信を行なわないことも考えられる。この場合にはセル移動パターンにはこの或るセルが含まれないこととなってしまう。そこで、このような場合に対応するために、移動履歴取得部１３が例えばＧＰＳ（Global Positioning System）の規格に準拠した測位機能等の何らかの測位機能を含み、この測位機能により測位した位置情報に基づいて移動履歴取得部１３がセル移動パターンを修正するようにしても良い。また、位置情報を基地局２０に送信し、基地局２０がセル移動パターンを修正するようにしても良い。
【００４６】
移動履歴格納部１４は、この移動履歴格納部１４を含む移動局１０自身が過去に移動してきたセル移動パターンを格納する記憶装置である。
【００４７】
基地局２０は、ｅＮＢ（evolutional Node B）であり、配下のセル３０を形成及び管理している。
【００４８】
基地局通信部２１は、移動局１０と無線通信を行うための機能を含む。
【００４９】
基地局制御部２２は、基地局制御部２２及び隣接セル情報格納部２３に格納された情報を用いて、後述する本実施形態特有のシーケンスを実行することにより、移動局１０に対して隣接セル情報を通知する部分である。また、基地局制御部２２は本実施形態を実現する機能のみを含んでいても良いが、加えて基地局２０全体を制御するような機能を更に含んでいても良い。
【００５０】
隣接セル情報格納部２３は、移動局１０のセル移動パターン細分化し、細分化したセル移動パターン毎に隣接セル情報を格納している。ここで、隣接セル情報格納部２３に格納されている情報及び基地局制御部２２がこの情報を用いて行う処理について図６及び図７を参照して説明する。
【００５１】
図６及び図７の何れにおいてもセル群３１に含まれるセル３０としてＣｅｌｌ＃１〜Ｃｅｌｌ＃９が存在する。また、移動局１０（図中では「ＵＥ」と表記する）を使用しているユーザが利用する移動路として移動路４１及び移動路４２が存在する。移動路４１及び移動路４２は例えば自動車が走行する道路や電車が走行する線路である。そして、移動路４１及び移動路４２上での移動は通常一方から他方への移動となり、途中で引き返すようなことは通常ないものとする。
【００５２】
ここでは、Ｃｅｌｌ＃１に着目して説明をする。つまり、移動局１０がＣｅｌｌ＃１に到着した時点に着目する。そして、Ｃｅｌｌ＃１を形成及び管理している基地局２０は、移動局１０のセル移動パターンに応じた隣接セル情報を移動局に報知する。
【００５３】
例えば図６の例では、移動局１０は移動路４２上を図の右側から左側に向かって進行しているものとする。この場合移動局１０のセル移動パターンは「Ｃｅｌｌ＃８→Ｃｅｌｌ＃３→Ｃｅｌｌ＃１」と表せる。この際、仮に一般的な技術を適用するのであればＣｅｌｌ＃１を形成及び管理している基地局２０は、Ｃｅｌｌ＃１に隣接する全てのセルの情報を隣接セル情報として移動局１０に通知する。つまり、隣接セル情報として「Ｃｅｌｌ＃２，Ｃｅｌｌ＃３，Ｃｅｌｌ＃４，Ｃｅｌｌ＃５，Ｃｅｌｌ＃６，Ｃｅｌｌ＃７」を通知する。そして、隣接セル情報を受け取った移動局１０は、この隣接セル情報に基づいて「Ｃｅｌｌ＃２，Ｃｅｌｌ＃３，Ｃｅｌｌ＃４，Ｃｅｌｌ＃５，Ｃｅｌｌ＃６，Ｃｅｌｌ＃７」の全てを対象として隣接セルサーチ（隣接する各セルを対象とした無線品質情報等の測定）を行う。しかしながら、これでは移動局１０は移動する可能性が少ないセルに関しても隣接セルサーチを行う必要が生じる。そこで、本実施形態ではＣｅｌｌ＃１に隣接する全てのセルの情報ではなく、その一部のセルであって移動局１０が移動する可能性が高いと思われるセルの情報を隣接セル情報として移動局１０に通知する。
【００５４】
この点について説明する。例えばＣｅｌｌ＃３からＣｅｌｌ＃１に移動してきた移動局１０が次に再度Ｃｅｌｌ＃３へと移動する可能性は低いと考えられる。何故ならば、上述したように移動路４１及び移動路４２上での移動は通常一方から他方への移動となり、途中で引き返すようなことはないからである。そのため、Ｃｅｌｌ＃３のセルの情報は隣接セル情報から除外する。一方で、移動局１０がこのまま移動路４２を移動するのであれば、移動局１０はＣｅｌｌ＃６に移動することとなる。そこで、Ｃｅｌｌ＃６のセルの情報は隣接セル情報に含める。
【００５５】
また、Ｃｅｌｌ＃１からＣｅｌｌ＃２又はＣｅｌｌ＃４に移動する移動路は存在しない。そのため、Ｃｅｌｌ＃２及びＣｅｌｌ＃４のセルの情報は隣接セル情報から除外する。一方で、移動路４２及び移動路４１が交差している箇所で移動局１０が移動路４１を利用して移動することとする可能性が有る。そこで、Ｃｅｌｌ＃７及びＣｅｌｌ＃５のセルの情報は隣接セル情報に含める。
【００５６】
このような考えに基づいて、セル移動パターン「Ｃｅｌｌ＃８→Ｃｅｌｌ＃３→Ｃｅｌｌ＃１」の移動局１０に対しては、隣接セル情報（Ｃｅｌｌ＃５，Ｃｅｌｌ＃６，Ｃｅｌｌ＃７）を通知する。通知を受けた移動局１０は隣接セルサーチとして、隣接セル情報（Ｃｅｌｌ＃５，Ｃｅｌｌ＃６，Ｃｅｌｌ＃７）に基づいたＣｅｌｌの隣接セルサーチを実施する。すなわち、Ｃｅｌｌ＃５、Ｃｅｌｌ＃６及びＣｅｌｌ＃７を対象として隣接セルサーチをする。
【００５７】
次に、図７の例を参照して説明する。図７の例では、移動局１０は移動路４１上を図の上側から下側に向かって進行しているものとする。この場合移動局１０のセル移動パターン「Ｃｅｌｌ＃９→Ｃｅｌｌ＃７→Ｃｅｌｌ＃１」と表せる。
【００５８】
この際、仮に一般的な技術を適用するのであれば上述のように隣接セル情報として「Ｃｅｌｌ＃２，Ｃｅｌｌ＃３，Ｃｅｌｌ＃４，Ｃｅｌｌ＃５，Ｃｅｌｌ＃６，Ｃｅｌｌ＃７」が移動局１０に通知される。しかしながら、本実施形態では下記のような考えに基づいてＣｅｌｌ＃１に隣接する全てのセルの情報ではなく、その一部のセルの情報を隣接セル情報として移動局１０に通知する。すなわち、隣接セル情報に含ませるセルの数を削減できる。なお、隣接するセルの総数が２つ等の少数しかないような場合も考えられ、このような場合には或るセルに隣接する全てのセルの情報が隣接セル情報伝達に含まれてしまうこともあり得る。もっとも、このような場合に該当することは少数であり、このような場合が一部のセルであったとしてもシステム全体としては隣接セル情報に含ませるセルの数を削減することができる。
【００５９】
まず、Ｃｅｌｌ＃１に移動してきた移動局１０が次にＣｅｌｌ＃７へと移動する可能性は低い、何故ならば、上述したように移動路４１及び移動路４２上での移動は通常一方から他方への移動となり、途中で引き返すようなことは通常ないからである。そのため、Ｃｅｌｌ＃７のセルの情報は隣接セル情報から除外する。一方で、移動局１０がこのまま移動路４１を移動するのであれば、移動局１０はＣｅｌｌ＃５に移動することとなる。そこで、Ｃｅｌｌ＃５のセルの情報は隣接セル情報に含める。
【００６０】
また、Ｃｅｌｌ＃１からＣｅｌｌ＃２又はＣｅｌｌ＃４に移動する移動路は存在しない。そのため、Ｃｅｌｌ＃２及びＣｅｌｌ＃４のセルの情報は隣接セル情報から除外する。一方で、移動路４２及び移動路４１が交差している箇所で移動局１０が移動路４２を利用して移動することとする可能性が有る。そこで、Ｃｅｌｌ＃３及びＣｅｌｌ＃６のセルの情報は隣接セル情報に含める。
【００６１】
このような考えに基づいて、セル移動パターンが「Ｃｅｌｌ＃９→Ｃｅｌｌ＃７→Ｃｅｌｌ＃１」の移動局１０に対しては、隣接セル情報（Ｃｅｌｌ＃３，Ｃｅｌｌ＃５，Ｃｅｌｌ＃６）を通知する。通知を受けた移動局１０は隣接セルサーチとして、隣接セル情報（Ｃｅｌｌ＃３，Ｃｅｌｌ＃５，Ｃｅｌｌ＃６）に基づいたＣｅｌｌの隣接セルサーチを実施する。すなわち、Ｃｅｌｌ＃３、Ｃｅｌｌ＃５及びＣｅｌｌ＃６を対象として隣接セルサーチをする。
【００６２】
以上より、一般的な方式（図１等参照）では（Ｃｅｌｌ＃２，Ｃｅｌｌ＃３，Ｃｅｌｌ＃４，Ｃｅｌｌ＃５，Ｃｅｌｌ＃６，Ｃｅｌｌ＃７）を隣接セル情報としていたが、本実施形態では、図６及び図７に表される何れの場合であっても、セル移動パターンに基づいて、通知する隣接セル候補を削減することが可能となる。これに伴い、移動局１０が隣接セルサーチを行う対象を減少させ、より迅速にハンドオーバ先を発見でき、且つ、移動局１０における電力消費を抑えることも可能となる。なお、セル移動パターンに応じた隣接セル情報であるが、基地局２０を設置した際に隣接セル情報格納部２３に格納しておくことが考えられる。また、基地局２０周辺の環境の変化（例えば、他の基地局２０の新たな設置や移動路の変更）が生じた際に隣接セル情報格納部２３内の隣接セル情報を修正することが考えられる。また、具体的な方法については後述するが基地局２０が自発的に隣接セル情報を生成及び修正することも可能である。
【００６３】
続いて図８〜９のシーケンス図を参照して本実施形態の動作について説明する。
【００６４】
まず、図８を参照して本実施形態の第１のシーケンスについて説明する。図８のシーケンスは図６に例示された状況と同じ状況で行われるものとする。
【００６５】
第１のシーケンスでは基地局２０は移動局１０のセル移動パターンを把握していない状況である。そこで、基地局２０は報知情報として隣接セル情報格納部２３に格納されている隣接セル情報を全て移動局１０に通知する（ステップＳ５１）。例えば、セル移動パターンが「Ｃｅｌｌ＃８→Ｃｅｌｌ＃３→Ｃｅｌｌ＃１」の移動局１０に対応した隣接セル情報（以下の説明では「Ｃｅｌｌ＃１−１ルートＮＣＬ」と呼ぶ。）、セル移動パターンが「Ｃｅｌｌ＃９→Ｃｅｌｌ＃７→Ｃｅｌｌ＃１」の移動局１０に対応した隣接セル情報（以下の説明では「Ｃｅｌｌ＃１−２ルートＮＣＬ」と呼ぶ。）、・・・、というように全ての隣接セル情報を報知情報として通知する。
【００６６】
通知を受けた移動局１０は、移動履歴格納部１４を参照し現在のセル移動パターンを確認する。確認の結果、現在のセル移動パターンが「Ｃｅｌｌ＃８→Ｃｅｌｌ＃３→Ｃｅｌｌ＃１」であることが分かる（ステップＳ５２）。
【００６７】
次に、移動局１０は現在のセル移動パターンと基地局２０から通知された報知情報とを照らし合わせ、現在のセル移動パターン「Ｃｅｌｌ＃８→Ｃｅｌｌ＃３→Ｃｅｌｌ＃１」に対応する隣接セル情報を選択する。本例では「Ｃｅｌｌ＃１−１ルートＮＣＬ」が選択される（ステップＳ５３）。
【００６８】
そして、選択した隣接セル情報を用いて隣接セルサーチを行う（ステップＳ５４）。すなわち、セル移動パターン「Ｃｅｌｌ＃８→Ｃｅｌｌ＃３→Ｃｅｌｌ＃１」に対応した、隣接セル情報（Ｃｅｌｌ＃５，Ｃｅｌｌ＃６，Ｃｅｌｌ＃７）に基づいた隣接セルサーチを実施する。つまり、Ｃｅｌｌ＃５、Ｃｅｌｌ＃６及びＣｅｌｌ＃７を対象として隣接セルサーチをする。
【００６９】
続いて、図９を参照して第２のシーケンスについて説明する。本シーケンスは上述した第１のシーケンスについてさらに工夫したものである。
【００７０】
図９を参照すると、Ｃｅｌｌ＃１を管理する基地局は、Ｃｅｌｌ＃１内の移動局１０に、Ｃｅｌｌ＃１の報知情報（Ｃｅｌｌ＃１ＮＣＬ）として隣接セル情報「Ｃｅｌｌ＃２，Ｃｅｌｌ＃３，Ｃｅｌｌ＃４，Ｃｅｌｌ＃５，Ｃｅｌｌ＃６，Ｃｅｌｌ＃７」を通知する（ステップＳ６１）。
【００７１】
通知を受けた移動局１０は、隣接セル情報「Ｃｅｌｌ＃２，Ｃｅｌｌ＃３，Ｃｅｌｌ＃４，Ｃｅｌｌ＃５，Ｃｅｌｌ＃６，Ｃｅｌｌ＃７」に基づいた隣接セルサーチを行うことなく基地局２０に対してセル移動パターンを通知する（ステップＳ６２、ステップＳ６３）。なお、現在のセル移動パターンは「Ｃｅｌｌ＃８→Ｃｅｌｌ＃３→Ｃｅｌｌ＃１」である。
【００７２】
基地局２０は、この現在のセル移動パターンに対応するルートの隣接セル情報を選択する（ステップＳ６４）。本例でいえばＣｅｌｌ＃１−１ルートＮＣＬである。そして、移動局１０に対して、選択した細かなルート別の隣接セル情報であるＣｅｌｌ＃１−１ルートのＮＣＬを送信する（ステップＳ６５）。移動局はＣｅｌｌ＃１−１ルートのＮＣＬに含まれるＣｅｌｌの隣接セルサーチを実施する。つまり、Ｃｅｌｌ＃５、Ｃｅｌｌ＃６及びＣｅｌｌ＃７を対象として隣接セルサーチをする（ステップＳ６６）。
【００７３】
続いて、図１０を参照して第３のシーケンスについて説明する。
【００７４】
移動局１０は移動履歴格納部１４からセル移動パターンを抽出し（ステップＳ７１）、セル移動パターンを基地局２０に通知する（ステップＳ７２）。
【００７５】
基地局２０はこのセル移動パターンに対応する隣接セル情報を選択する。本例でいえばＣｅｌｌ＃１−１ルートＮＣＬである。そして、基地局２０は、移動局１０に対して、このＣｅｌｌ＃１−１ルートＮＣＬのMeasurement Configurationを行うために、ＲＲＣ接続再設定（RRCConnectionReconfiguration）メッセージを使ってMeasurement Configurationメッセージを基地局２０から移動局１０に送信する。この際、Ｃｅｌｌ＃１−１ルートＮＣＬがRRCConnectionReconfigurationメッセージ内のハンドオーバパラメータとして含まれる（ステップＳ７３、ステップＳ７４）。
【００７６】
移動局１０はRRCConnectionReconfigurationメッセージを正常に受付けた場合は、基地局２０に対して、RRCConnectionReconfigurationCompleteを送信する（ステップＳ７５）。そして、周辺セルの測定を開始する。この測定はMeasurement Configurationメッセージに含まれるＣｅｌｌ＃１−１ルートＮＣＬに基づいて行われる。すなわち、Ｃｅｌｌ＃５，Ｃｅｌｌ＃６及びＣｅｌｌ＃７を対象として測定が行われる。移動局１０は、RRCConnectionReconfigurationの条件にある隣接セルを検出し、測定を行うと、基地局２０に対してMeasurement Reportを、ＰＣＩ(Physical Cell
Identity)を指定して送信する（ステップＳ７６）。基地局２０は、ＭＲ(Measurement
Report)に基づいて例えば受信レベルの大きいセルにハンドオーバを実行する（ステップＳ７７）。
【００７７】
最後に、図１１を参照して第４のシーケンスについて説明する。本シーケンスは本実施形態の隣接セル情報、すなわちセル移動パターン別の隣接セル情報の作成方法について表す図である。この隣接セル情報の作成はユーザの操作や指示を要することなく隣接セル情報伝達システムが自律的に行うものであり、３ＧＰＰ（3rd Generation Partnership Project）において標準化が進められているＳＯＮ(Self Organizing Network)機能の１つであると言える。
【００７８】
移動局１０は移動履歴格納部１４からセル移動パターンを抽出し（ステップＳ８１）、セル移動パターンを基地局２０に通知する（ステップＳ８２）。基地局２０は通知されたこのセル移動パターンに対応する隣接セル情報を選択する（ステップＳ８３）。本例では、Ｃｅｌｌ＃１−１ルートＮＣＬが未だ作成されていない場合を想定する。そのため、Ｃｅｌｌ＃１ＮＣＬが選択される。なお、仮に既にＣｅｌｌ＃１−１ルートＮＣＬが作成されているのであればＣｅｌｌ＃１−１ルートＮＣＬを選択する。
【００７９】
その後のステップＳ８４〜ステップＳ８７についてはステップＳ７４〜ステップＳ７７と同様の処理となるので説明を省略する。
【００８０】
そして、ハンドオーバが実行されると、基地局２０は、セル移動パターンとハンドオーバ先となったセルとの組み合わせを蓄積し、以下の様なルート別Ｃｅｌｌ  ＮＣＬリストを作成する。
ルート「Cell#8→Cell#3→Cell#1」： HO先 Cell#5 3件、Cell#6
10件、Cell#7 5件
ルート「Cell#9→Cell#7→Cell#1」： HO先 Cell#4 2件、Cell#5
8件、Cell#6 4件
・・・・・
そして、このルート別Ｃｅｌｌ  ＮＣＬリストに基づいて、セル移動パターンに対応する隣接セル情報を作成する。例えば、ＨＯ先となった回数が所定回数以上であること等を条件とし、条件を満たしたセルを隣接セル情報に追加する。具体的には、ステップＳ８２で通知されたセル移動パターンが「Ｃｅｌｌ＃８→Ｃｅｌｌ＃３→Ｃｅｌｌ＃１」であり、その後ステップＳ８７でハンドオーバ先とされたセルが「Ｃｅｌｌ＃５」である、という処理が所定回数以上行われた場合にセル移動パターン「Ｃｅｌｌ＃８→Ｃｅｌｌ＃３→Ｃｅｌｌ＃１」に対応する隣接セル情報には「Ｃｅｌｌ＃５」が含まれる。このようにして、セル移動パターンに対応する隣接セル情報が作成される。
【００８１】
なお、上記の条件を「所定回数」ではなく、ＨＯ先となった割合が「所定の割合」以上であることとしても良い。例えば、ステップＳ８２で通知されたセル移動パターンが「Ｃｅｌｌ＃８→Ｃｅｌｌ＃３→Ｃｅｌｌ＃１」であり、その後ステップＳ８７でハンドオーバ先とされたセルが「Ｃｅｌｌ＃５」である、という処理が繰り返し行われたとする。そして、「Ｃｅｌｌ＃５」が、セル移動パターン「Ｃｅｌｌ＃８→Ｃｅｌｌ＃３→Ｃｅｌｌ＃１」に関する全てのＨＯ先の内の２割以上を占めた場合にセル移動パターン「Ｃｅｌｌ＃８→Ｃｅｌｌ＃３→Ｃｅｌｌ＃１」に対応する隣接セル情報に「Ｃｅｌｌ＃５」が含まれるようにしても良い。
【００８２】
また、この場合、或るセルにハンドオーバする割合が、所定の割合未満となった場合にはこの或るセルを隣接セル情報から削除するようにしても良い。これにより、例えば周辺環境が変動し、セル移動パターン「Ｃｅｌｌ＃８→Ｃｅｌｌ＃３→Ｃｅｌｌ＃１」に関する移動先として「Ｃｅｌｌ＃５」が選択されることが無くなったような場合には、「Ｃｅｌｌ＃５」は隣接セル情報から削除されることとなる。
【００８３】
以上説明した本発明の実施形態は、以下に示すような多くの効果を奏する。
【００８４】
第１の効果は、直近（例えば３セル分）の移動局位置のセル移動パターンに細分化したパターン毎に隣接セル情報を移動局に通知しているので、直近の移動局の位置の移動履歴に応じた、隣接セルサーチ無駄が少なく、高速に移動局にて隣接セルサーチができることである。
【００８５】
また、第２の効果は、実際にＨＯ先として選択されたセルの情報を隣接セル情報伝達システムが自律的に蓄積しておくことから、ユーザの操作や指示を要することなく隣接セル情報を作成することが可能となる。
【００８６】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００８７】
なお、仮に本実施形態を標準規格のＬＴＥ(Long Term Evolution)に準拠したシステムとして実現する場合には、３ＧＰＰ標準仕様書の”TS36.331v9.3.0(2010-06)“（非特許文献１参照）を下記のように変更することにより、実現することができる。
【００８８】
例えば、図１２及び図１３に表されるようにSystemInformationBlockType3.1
、SystemInformationBlockType3.2、・・・として、エリア毎に隣接セル情報をSystemInfomationBlockTypeに追加する。
【００８９】
同様に図１４及び図１５に表されるようにSystemInformationBlockType4.1、SystemInformationBlockType4.2、・・・・として、エリア毎に隣接セル情報をSystemInfomationBlockTypeに追加する。
【００９０】
なお、上記の隣接セル情報伝達システムは、ハードウェア、ソフトウェア又はこれらの組み合わせにより実現することができる。また、上記の隣接セル情報伝達システムにより行なわれる隣接セル情報伝達方法も、ハードウェア、ソフトウェア又はこれらの組み合わせにより実現することができる。ここで、ソフトウェアによって実現されるとは、コンピュータがプログラムを読み込んで実行することにより実現されることを意味する。
【００９１】
プログラムは、様々なタイプの非一時的なコンピュータ可読媒体(non-transitory
computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９２】
本願は、日本の特願２０１３−０１０２１０（２０１３年１１月０８日に出願）に基づいたものであり、又、特願２０１３−０１０２１０に基づくパリ条約の優先権を主張するものである。特願２０１３−０１０２１０の開示内容は、特願２０１３−０１０２１０を参照することにより本明細書に援用される。
【００９３】
本発明の代表的な実施の形態が詳細に述べられたが、様々な変更(changes)、置き換え(substitutions)及び選択(alternatives)が請求項で定義された発明の精神と範囲から逸脱することなくなされることが理解されるべきである。また、仮にクレームが出願手続きにおいて補正されたとしても、クレームされた発明の均等の範囲は維持されるものと発明者は意図する。
【００９４】
上記の実施形態の一部又は全部は、以下の付記のようにも記載されうるが、以下には限られない。
【００９５】
（付記１）  移動局と無線通信を行う基地局であって、
前記移動局が当該基地局の管理下のセルまで移動してきた移動履歴の内容に応じて、前記移動局が用いる隣接セルリストの内容を異ならせることを特徴とする基地局。
【００９６】
（付記２）  付記１に記載の基地局であって、
複数の組であって、そのそれぞれの組が、前記移動局が当該基地局の管理下のセルまで移動する際に経由してくると想定されるセルの組み合わせと、その組合せに対応した隣接セルリストとを含む、複数の組を格納しておく隣接セル情報格納部と、
前記移動局から、該移動局が実際に当該基地局の管理下のセルまで移動してきた際に経由してきたセルの組み合わせを受信し、受信した内容に対応した隣接セルリストを前記隣接セル情報格納部から検索して、前記移動局に返信する返信部と、
を備えることを特徴とする基地局。
【００９７】
（付記３）  付記１に記載の基地局であって、
複数の組であって、そのそれぞれの組が、前記移動局が当該基地局の管理下のセルまで移動する際に経由してくると想定されるセルの組み合わせと、その組合せに対応した隣接セルリストとを含む、複数の組を格納しておく隣接セル情報格納部と、
前記複数の組を前記移動局に送信する送信部を備え、
前記移動局が、該移動局の実際の移動履歴に対応した隣接セルリストを、前記基地局の前記送信部から送信されてきた前記複数の組から検索して用いることを特徴とする基地局。
【００９８】
（付記４）  付記２又は３に記載の基地局であって、
前記移動局が実際に当該基地局の管理下のセルまで移動してきた際に経由してきたセルの組み合わせと、前記移動局が当該基地局の管理下のセルからハンドオーバした先のセルとを紐付けて蓄積していき、蓄積した情報に基づいて、前記隣接セル情報格納部に格納されている複数の組の一部又は全部を修正し、又は、前記隣接セル情報格納部に新たな組を追加することを特徴とする基地局。
【００９９】
（付記５）  付記１乃至４の何れか１に記載の基地局であって、
前記移動局が当該基地局の管理下のセルに移動してくる直前に在圏していたセルは前記隣接セルリストから除外することを特徴とする基地局。
【０１００】
（付記６）  付記１乃至５の何れか１に記載の基地局であって、
前記移動局を利用するユーザが或る移動路を利用して当該基地局の管理下のセルまで移動してきたと判断できる場合には、当該基地局の管理下のセルから前記或る移動路を利用して移動できないセルについては前記隣接セルリストから除外することを特徴とする基地局。
【０１０１】
（付記７）  付記２に記載の基地局から前記組を受信し、自移動局の実際の移動履歴に対応した隣接セルリストを、受信した前記複数の組から検索して用いる、ことを特徴とする移動局。
【０１０２】
（付記８）  基地局と移動局とを含んだセル情報伝達システムであって、
複数の組であって、そのそれぞれの組が、前記移動局が当該基地局の管理下のセルまで移動する際に経由してくると想定されるセルの組み合わせと、その組合せに対応した隣接セルリストとを含む、複数の組を格納しておく隣接セル情報格納部と、
移動局の実際の移動履歴に対応した隣接セルリストを、隣接セル情報格納部に格納されている前記複数の組から検索する検索部と、
を備え、前記移動局は、検索された隣接セルリストを用いることを特徴とするセル情報伝達システム。
【０１０３】
（付記９）  移動局と無線通信を行う基地局としてコンピュータを機能させる為のセル情報伝達プログラムであって、
前記移動局が当該基地局の管理下のセルまで移動してきた移動履歴の内容に応じて、前記移動局に送信する隣接セルリストの内容を異ならせる基地局として前記コンピュータを機能させることを特徴とするセル情報伝達プログラム。
【０１０４】
（付記１０）  基地局と移動局とを含んだシステムが行うセル情報伝達方法であって、
前記基地局が、複数の組であって、そのそれぞれの組が、前記移動局が当該基地局の管理下のセルまで移動する際に経由してくると想定されるセルの組み合わせと、その組合せに対応した隣接セルリストとを含む、複数の組を隣接セル情報格納部に格納し、
前記基地局又は前記移動局が、移動局の実際の移動履歴に対応した隣接セルリストを、隣接セル情報格納部に格納されている前記複数の組から検索する検索し、
前記移動局が、検索された隣接セルリストを用いることを特徴とするセル情報伝達方法
【０１０５】
（付記１１）  移動局と無線通信を行う基地局が行うセル情報伝達方法であって、
前記移動局が当該基地局の管理下のセルまで移動してきた移動履歴の内容に応じて、前記移動局が用いる隣接セルリストの内容を異ならせることを特徴とするセル情報伝達方法。
【産業上の利用可能性】
【０１０６】
本発明は、移動局の移動履歴を考慮して情報を伝達する通信システム全般に好適である。
【図１】
2014115418.tif 000003
【図２】
2014115418.tif 000004
【図３】
2014115418.tif 000005
【図４】
2014115418.tif 000006
【図５】
2014115418.tif 000007
【図６】
2014115418.tif 000008
【図７】
2014115418.tif 000009
【図８】
2014115418.tif 000010
【図９】
2014115418.tif 000011
【図１０】
2014115418.tif 000012
【図１１】
2014115418.tif 000013
【図１２】
2014115418.tif 000014
【図１３】
2014115418.tif 000015
【図１４】
2014115418.tif 000016
【図１５】
2014115418.tif 000017
【国際調査報告】
2014115418.tif 000018
2014115418.tif 000019
2014115418.tif 000020
2014115418.tif 000021